(57)【要約】【課題】見守り対象者の生活パターンの特徴や長期的な変化を容易に把握できる滞在データ表示システムを提供する。【解決手段】見守り対象者宅内に配置されたセンサによって見守り対象者の滞在の有無を検知する。センサから出力された滞在データは、随時サーバに送り、データベースに蓄積する。蓄積したデータに基づいてグラフフォーマット作成手段によってグラフフォーマットを作成し、グラフフォーマットによって滞在データのグラフを端末に表示させる。このＷｅｂ画面５１には、見守り対象者宅内の所定場所に対応する複数のグラフ６０が並べて表示されている。グラフ６０は、１日の時刻を取った縦軸６０ｘと、日を縦軸に取った６０ｙからなる散布図上に、見守り対象者が滞在した日時をドットで示したものである。【選択図】　図３
2004030541.tif 000002
【特許請求の範囲】
【請求項１】
見守り対象者宅内の所定場所に配置され、前記見守り対象者宅内における見守り対象者の滞在の有無を検知する人体検知手段と、
前記人体検知手段から出力される滞在データを蓄積し、蓄積された前記滞在データに基づいてグラフフォーマットを作成するグラフフォーマット作成手段と、
前記グラフフォーマット作成手段からの出力に基づいて作成されたグラフを表示する表示手段とが
ネットワークを介して接続された滞在データ表示システムであって、
前記グラフフォーマットは、検知期間の各日ごとの各時刻における前記見守り対象者宅内の所定場所での前記見守り対象者の滞在の有無を示すグラフを表示させるものであることを特徴とした滞在データ表示システム。
【請求項２】
前記グラフは、１日の時刻を示す時刻軸と検知期間の各日を示す日軸からなる散布図上に、円形又は矩形の形状のプロットを用いて前記見守り対象者の滞在データを示すものであることを特徴とした請求項１に記載の滞在データ表示システム。
【請求項３】
前記グラフは、１日の時刻を示す時刻軸からなる数直線上に、円形又は矩形の形状のプロットを用いて前記見守り対象者の滞在データを示すものであることを特徴とした請求項１に記載の滞在データ表示システム。
【請求項４】
前記プロットの大きさ又は色合いは、前記見守り対象者に対する前記見守り対象者の滞在継続時間に応じて異なることを特徴とした請求項２又は３に記載の滞在データ表示システム。
【請求項５】
見守り対象者宅内の所定場所に配置され、前記見守り対象者宅内における見守り対象者の滞在の有無を検知する人体検知手段と、
前記人体検知手段から出力される滞在データを蓄積し、蓄積された前記滞在データに基づいてグラフフォーマットを作成するグラフフォーマット作成手段と、
前記グラフフォーマット作成手段からの出力に基づいて作成されたグラフを表示する表示手段とが
ネットワークを介して接続された滞在データ表示システムであって、
前記グラフフォーマットは、１日の各時間帯における前記見守り対象者宅内の所定場所での前記見守り対象者の滞在平均時間を示すグラフを表示させるものであることを特徴とした滞在データ表示システム。
【請求項６】
前記グラフは、１日の時間帯を示す時間帯軸と前記見守り対象者の前記所定場所での滞在平均時間を示す滞在時間軸からなる棒グラフによって前記見守り対象者の滞在平均時間を示すものであることを特徴とする請求項５に記載の滞在データ表示システム。
【請求項７】
前記表示手段は、同一画面上に１つ以上のグラフを表示することを特徴とした請求項１〜６の何れかに記載の滞在データ表示システム。
【請求項８】
前記グラフフォーマット作成手段は、前記人体検知手段から得られる出力に基づいて前記見守り対象者の外出を判定し、前記見守り対象者が外出中であることを示すグラフフォーマットをさらに作成することを特徴とした請求項１〜７の何れかに記載の滞在データ表示システム。
【請求項９】
前記グラフフォーマット作成手段は、前記所定場所での滞在データの一部又は全部を合算したグラフフォーマットを作成することを特徴とした請求項１〜８の何れかに記載の滞在データ表示システム。
【請求項１０】
前記グラフは、異なる検知期間の滞在データを並べて示すものであることを特徴とした請求項１〜９の何れかに記載の滞在データ表示システム。
【発明の詳細な説明】
【０００１】
【発明の属する技術分野】
この発明は、独居高齢者等の見守り対象者に対する見守り対象者宅内での滞在データの長期的な特徴又は傾向を把握するグラフを表示するシステムに関する。
【０００２】
【発明の技術的背景】
高齢社会が到来し、独居高齢者等（以下、見守り対象者）のケアが問題化している。対策として異変発生時に迅速に対処可能な態勢を整えておくことは勿論であるが、普段の心身の健康状態を把握しておくことも重要である。
【０００３】
このような視点から、例えば特開２００２−０７４５６１号に記載されているように、見守り対象者の生活を見守るシステムが公表されている。それによれば、見守り対象者宅内の所定場所に配置したセンサによって、前記見守り対象者の滞在の有無を検知する。前記人体検知手段から出力された滞在データは管理センタのサーバに蓄積するとともに、Ｗｅｂページとして親族や介護センタの端末に配信できるようになっている。配信画面には、前記見守り対象者の１日の各時刻における滞在データが前記所定場所ごとに色分けされた帯状の図として表示される。この帯図では１日分の前記見守り対象者の滞在データを把握することができる。親族はこの滞在データを把握することによって安心することができる。
【０００４】
しかし、前記帯図は所定の検知期間の滞在データを表示することは画面の制約があって難しく、一覧表示したとしても長期的な傾向を把握しにくいという課題がある。
また、前記帯図では前記見守り対象者宅内の所定場所での滞在継続時間の長さを判別する表示がされていないため、見守り関係者が前記滞在継続時間を把握しにくいという課題がある。
【０００５】
そこで本発明は前記課題に鑑み、前記見守り対象者の滞在データの長期的な特徴又は傾向、並びに見守り対象者宅内の所定場所での滞在継続時間を容易に把握できる滞在データ表示システムを提供することを目的とする。
【０００６】
【課題を解決するための手段】
前記課題を解決するため、請求項１に記載の発明は、見守り対象者宅内の所定場所に配置され、前記見守り対象者宅内における見守り対象者の滞在の有無を検知する人体検知手段と、前記人体検知手段から出力される滞在データを蓄積し、蓄積された前記滞在データに基づいてグラフフォーマットを作成するグラフフォーマット作成手段と、前記グラフフォーマット作成手段からの出力に基づいて作成されたグラフを表示する表示手段とがネットワークを介して接続された滞在データ表示システムであって、前記グラフフォーマットは、検知期間の各日ごとの各時刻における前記見守り対象者宅内の所定場所での前記見守り対象者の滞在の有無を示すグラフを表示させるものであることを特徴とした滞在データ表示システムとしている。
【０００７】
請求項２に記載の発明は、前記グラフは、１日の時刻を示す時刻軸と検知期間の各日を示す日軸からなる散布図上に、円形又は矩形の形状のプロットを用いて前記見守り対象者の滞在データを示すものであることを特徴とした請求項１に記載の滞在データ表示システムとしている。
【０００８】
請求項３に記載の発明は、前記グラフは、１日の時刻を示す時刻軸からなる数直線上に、円形又は矩形の形状のプロットを用いて前記見守り対象者の滞在データを示すものであることを特徴とした請求項１に記載の滞在データ表示システムとしている。
【０００９】
請求項４に記載の発明は、前記プロットの大きさ又は色合いは、前記見守り対象者に対する前記見守り対象者の滞在継続時間に応じて異なることを特徴とした請求項２又は３に記載の滞在データ表示システムとしている。
【００１０】
請求項５に記載の発明は、見守り対象者宅内の所定場所に配置され、前記見守り対象者宅内における見守り対象者の滞在の有無を検知する人体検知手段と、前記人体検知手段から出力される滞在データを蓄積し、蓄積された前記滞在データに基づいてグラフフォーマットを作成するグラフフォーマット作成手段と、前記グラフフォーマット作成手段からの出力に基づいて作成されたグラフを表示する表示手段とがネットワークを介して接続された滞在データ表示システムであって、前記グラフフォーマットは、１日の各時間帯における前記見守り対象者宅内の所定場所での前記見守り対象者の滞在平均時間を示すグラフを表示させるものであることを特徴とした滞在データ表示システムとしている。
【００１１】
請求項６に記載の発明は、前記グラフは、１日の時間帯を示す時間帯軸と前記見守り対象者の前記所定場所での滞在平均時間を示す滞在時間軸からなる棒グラフによって前記見守り対象者の滞在平均時間を示すものであることを特徴とする請求項５に記載の滞在データ表示システムとしている。
【００１２】
請求項７に記載の発明は、前記表示手段は、同一画面上に１つ以上のグラフを表示することを特徴とした請求項１〜６の何れかに記載の滞在データ表示システムとしている。
【００１３】
請求項８に記載の発明は、前記グラフフォーマット作成手段は、前記人体検知手段から得られる出力に基づいて前記見守り対象者の外出を判断し、前記見守り対象者が外出中であることを示すグラフフォーマットをさらに作成することを特徴とした請求項１〜７の何れかに記載の滞在データ表示システムとしている。
【００１４】
請求項９に記載の発明は、前記グラフフォーマット作成手段は、前記所定場所での滞在データの一部又は全部を合算したグラフフォーマットを作成することを特徴とした請求項１〜８の何れかに記載の滞在データ表示システムとしている。
【００１５】
請求項１０に記載の発明は、前記グラフは、異なる検知期間の滞在データを並べて示すものであることを特徴とした請求項１〜９の何れかに記載の滞在データ表示システムとしている。
【００１６】
【発明の実施の形態】
以下、本発明の実施形態を、図面を参照して説明する。
図１は、見守り対象者の生活を遠隔で見守るテレケアシステムＳを示したものである。テレケアシステムＳは、各見守り対象者宅２の宅内見守り主装置２１とサーバ１０が接続された管理センタ１とが通信ネットワーク４１で接続されている。また、テレケアシステムＳは、前記管理センタ１と前記見守り対象者を見守る関係者の端末３１〜３３とが通信ネットワーク４２で接続されている。端末３１〜３３は前記見守り対象者の生活情報を表示している。見守り関係者には、端末３１を有する親族の他、端末３２を有する介護センタ３Ａや、端末３３を有するコールセンタ３Ｂ等がある。コールセンタ３Ｂは、介護センタ３Ａが多忙や就労時間外で対処できないときにそれに代わって電話連絡等のバックアップを行う機関であり、オペレータが２４時間体勢で端末３３の監視を行っている。
なお、図１では、端末３１〜３３としてパーソナルコンピュータが用いられているが、Ｗｅｂ機能付きの携帯電話端末等を用いることもできる。
【００１７】
宅内見守り主装置２１には、居間、寝室、台所、トイレ、玄関の前記見守り対象者宅２内の所定場所に対して、それぞれセンサ２２ａ〜２２ｅが１つずつ配置されている。これらのセンサ２２ａ〜２２ｅによって前記見守り対象者の滞在の有無を検知している。なお、センサ２２ａ〜２２ｅは、人体から発せられる赤外線に感応する焦電型赤外線センサで構成されている。
【００１８】
前記センサ２２ａ〜２２ｅはそれぞれ配置された所定場所での見守り対象者の滞在の有無を検知する。検知期間は限定せず、可能な限り永続的に行なう。センサから得られた日時を含む前記滞在データは、ＩＳＤＮ網、ＩＰ網、アナログ電話網などのネットワーク４１を介して管理センタ１に送信されるようになっている。
【００１９】
管理センタ１のサーバ１０には、各見守り対象者宅２の見守り装置２０から出力された滞在データを随時蓄積するデータベース１１が接続されている。更に、前記サーバ１０には前記データベース１１に蓄積された滞在データに基づいてグラフフォーマットを作成するグラフフォーマット作成機能とＷｅｂ機能が備えられている。
このグラフフォーマットの内容は本発明の要旨に係るものであるので、追って詳述する。
【００２０】
Ｗｅｂ機能は、前記データベース１１の蓄積データを見守り対象者ごとのＷｅｂページ（ホームページ）にして、インターネット等の通信ネットワーク４２を介してクライアント端末３１〜３３に配信する機能である。Ｗｅｂページには、前記グラフ化機能によるグラフを掲載したページもある。
【００２１】
見守り主装置２１は、前記見守り対象者宅２内に配置されたセンサ２２ａ〜２２ｅからの出力に基づいて前記見守り対象者の滞在判定を行う。
例えば、居間に配置されたセンサ２２ａのみが継続的に（例えば３０秒間）前記見守り対象者を検知したとき、見守り主装置２１は前記見守り対象者が居間に滞在していると判定する。そして、居間のセンサ２２ａが前記見守り対象者の継続的な検知を終了し、寝室のセンサ２２ｂが継続的な検知を開始したとき、見守り主装置２１は見守り対象者は居間から寝室に移動したと判定する。
【００２２】
また、サーバ１０は前記見守り対象者の外出を判定する。
例えば、データベース１１に蓄積された滞在データが、玄関のセンサ２２ｅが前記見守り対象者を検知した後、所定の外出確定時間（例えば３０分）が経過するまで前記見守り対象者宅２内のセンサ２２ａ〜２２ｅ何れも記見守り対象者を検知しなかったとき、サーバ１０は見守り対象者が外出したと判定する。その後、玄関のセンサ２２ｅが見守り対象者を検知した後、玄関以外の前記見守り対象者宅２内のセンサ２２ａ〜２２ｄが前記見守り対象者を検知したとき、前記対象者が帰宅したと判定する。
【００２３】
また、サーバ１０による滞在判定は、センサが配置された場所以外での前記見守り対象者の滞在を判定する。
例えば、前記見守り対象者宅２内にセンサが配置されていない第２の居間があるとする。蓄積された滞在データに基づくサーバ１０の滞在判定によって、前記見守り対象者がセンサを配置した場所に滞在していなく、さらに外出もしていないと判定されたとき、見守り対象者は前記第２の居間に滞在していると判定される。
【００２４】
前記見守り対象者宅内の所定場所での前記見守り対象者の滞在継続時間は、データベース１１に蓄積された滞在データに基づいて算出される。
例えば、台所のセンサ２２ｃのみが前記見守り対象者の滞在を所定時間検知したとする。このときの前記台所での前記見守り対象者の滞在継続時間は、前記蓄積された滞在データに基づき、前記台所のセンサ２２ｃが前記見守り対象者の検知を開始した時刻と検知を終了したときの時刻から算出される。
【００２５】
さらに、前記見守り対象者が滞在判定によって例えばトイレに入ったと判定されたとき、サーバ１０は引き続いて異変判定を行う。つまり、前記見守り対象者が前記トイレに入ったとの判定後、所定の異変判定時間が経過してもトイレから移動したとの判定がなされなかった時、「異変発生」と判定する。同様に、前記見守り対象者が外出中との判定後、所定の異変判定時間（例えば４時間）が経過しても帰宅したとの判定がなされなかったときも「異変発生」と判定する。この異変発生データは、サーバ１０を介してクライアント端末３１〜３３へ直ちに送信される。
【００２６】
見守り関係者は、端末３１〜３３からサーバ１０にアクセスすることで前記見守り対象者の滞在データを閲覧することができる。
前記見守り関係者のアクセス信号はネットワーク４２を介してサーバ１０に配信され、サーバ１０はこのアクセス信号に応答してグラフフォーマットを作成する。前記グラフフォーマットは、前記アクセス信号に応じて蓄積された滞在データを読み出し、ネットワーク４２を介して端末３１〜３３に前記見守り対象者の滞在データのグラフを表示させる。また、Ｗｅｂ機能によって前記滞在データのグラフを端末３１〜３３のＷｅｂ閲覧画面上で閲覧することができる。
【００２７】
これによって、前記見守り関係者は前記見守り対象者の滞在データを閲覧することができる。なお、これらのグラフ画面は予防医療等の専門機関へも配信し、見守り対象者の健康管理や診療に役立ててもよい。
【００２８】
なお、本実施形態に使用される２つのネットワーク４１、４２は異なるものとして実施しているが、１つのネットワークに対して見守り装置主２１、サーバ１０及び端末３１〜３３が接続された滞在データ表示システムとしてよい。
【００２９】
図２の見守り用画面５０には、見守り対象者の氏名５０ａ、カレンダー５０ｂ、現在の在室状況が一目でわかるイラスト５０ｃ、異変判定時間のリスト５０ｄ、生活パターン帯図５０ｅ、この生活パターン帯図５０ｅを読むための参照欄５０ｆ及びグラフ選択メニュー欄５０ｇ等が表示されている。介護センタ３Ａやコールセンタ３Ｂの端末３２、３３では、見守り対象者氏名５０ａを選択することによって他の見守り対象者のページへ移ることができる。生活パターン帯図５０ｅには、前記見守り対象者の所定場所での在室の様子が１日の時系列で色分けして表示されている。カレンダー５０ｂで日付を指定することにより、見たい日の生活パターン帯図５０ｅを表示させることができる。これによって、見守り関係者は、見守り対象者の１日分の滞在データを把握することができる。なお、複数日の生活パターン帯図５０ｅを上下に並べて表示できるようにしてもよい。
【００３０】
図２の見守り用画面５０のグラフ選択メニュー欄５０ｇには、日周期パターン項目５０ｈ及び日内パターン項目５０ｉが設けられている。これら項目５０ｈ及び５０ｉには、それぞれ「全データ」と表記されたボタンの他、前記見守り対象者宅２内にセンサを配置した場所を表記した各ボタン（この画面５０では「居間」、「寝室」、「玄関」、「トイレ」、「台所」ボタン）と「外出」ボタンが設けられている。「全データ」とは前記見守り対象者宅２内の各部屋に配置したセンサ全てのデータを意味し、画面５０では前記居間、寝室、玄関、トイレ及び台所データを意味している。また、「外出」とは、サーバ１０の滞在判定によって判定された外出データを意味する。
【００３１】
ここで、日周期パターン項目５０ｈ及び日内パターン５０ｉの各ボタンのうち、いずれかのボタンを選択することによって、図３の表示画面５１に示すような選択した場所の滞在データが表示される。なお、画面５１は日周期パターン項目５０ｈの「全データ」ボタンを選択したときの画面である。
【００３２】
第１の実施例を示す。
図３の画面５１では、前記見守り対象者宅２内のセンサ設置場所である居間、寝室、台所、トイレ、玄関に対応する前記見守り対象者の滞在データを示す日周期グラフ６０が並べて表示される。
【００３３】
前記日周期グラフ６０は、１日分の時刻である横軸６０ｘと滞在データを表示する期間の日数を示す縦軸６０ｙとがなす散布図上に、見守り対象者が滞在した時刻を例えば青色の円形のドットでプロットされている。グラフ６０では縦軸６０ｙの日数は１００日間に設定され、画面の上側の中央にはこの日数（１００日間）を示す表記５１ｃが設けられている。
また、画面５１の左下隅には、グラフが表示する期間の第１日目の日付を示す表記５１ｅが設けられている。
【００３４】
グラフ６０における前記見守り対象者の滞在開始時刻は、所定の日の時系列において、プロットされていない状態から所定の時刻以降から継続的にプロットされていることから判別される。
また、グラフ６０において、プロットされている時間が長いほど、前記見守り対象者宅２内の所定の場所での滞在継続時間が長いことを示している。滞在継続時間は、時系列における前記滞在開始時刻からの継続的なプロットがされなくなるまでの時刻との差によって示される。
【００３５】
この画面５１に表示されるグラフの上側には、選択した場所の英語表記５１ａが設けられている。
また、画面５１の左上の隅には、その画面が表示する前記見守り対象者宅２内の場所を意味する表記５１ｂが設けられている。また、画面の上側の中央にはグラフ６０の表示期間を表示させるボタンである「１００日表示」ボタン５１ｃ及び「１ヶ月表示」ボタン５１ｄが設けられている。
【００３６】
例えば１ヶ月間表示中に「１００日表示」ボタン５１ｃを選択すると表示中の全てのグラフが１ヶ月間表示から１００日間表示に切り替わる。この１００日間表示の画面では「１ヶ月表示」ボタン５１ｄが選択可能になる一方、「１００日表示ボタン」５１ｃが選択不可能になる。
【００３７】
画面５１の中央下側には、グラフが表示している期間の第１日目の日付を示す表記５１ｅの日付から一定期間の滞在データを切りかえる「前に」ボタン５１ｆと「次に」ボタン５１ｇが設けられている。
【００３８】
例えば１ヶ月間表記において表記５１ｅが２００１年７月１日を表示していたとき、「次に」ボタン５１ｆを選択すると、次の１ヶ月間である２００１年８月１日から１ヶ月間分の滞在データに切り替わる。同様に、１００日間表記において表記５１ｅが２００１年７月１日を表示していたとき、「次に」ボタン５１ｆを選択すると、次の１００日間である２００１年１０月８日から１００日間分の滞在データに切り替わる。
【００３９】
なお、画面が最新のもので次のデータが無い場合には、「次に」ボタン５１ｇは表示されない。また、表示中の滞在データは、滞在データが有る分だけを表示することにしてもよい。
【００４０】
画面５１の右下隅に設けられた「戻る」ボタン５１ｈを選択すると、図２の見守り用画面５０に戻る。
【００４１】
前記の日周期グラフ６０は、見守り対象者が滞在している時間を長期間にわたって一括して表現することができる。これによって、見守り関係者は見守り対象者の長期的な滞在状態の変化から、前記見守り対象者の長期的傾向を容易に把握することができ、さらに長期的な健康状態（例えば、足が悪くなると移動回数が減少し、見守り対象者宅内の各場所での滞在継続時間が増加する、等）の把握に役立てることができる。
【００４２】
また、１つの画面５１に前記見守り対象者宅２内の全てのセンサ配置場所のグラフ６０を並べて表示されているので、見守り対象者の長期的な滞在データの全体像を容易に把握することができる。
【００４３】
以上の実施例から、前記見守り対象者の長期的な傾向を容易に把握することができる。
例えば、画面５１の居間のグラフ６１から、朝の滞在開始時刻を、前記見守り対象者の起床時刻とすると、前記見守り対象者の起床時刻がおよそ８時と推定することができる。また、表示期間での第１日目から日が経つにつれて徐々に遅くなる傾向があることも推定することができる。
また、グラフ６０の対応場所において前記見守り対象者が多く滞在する時間帯は、対応するグラフ６０の前記時間帯にプロットが多く表示される。例えば、前記見守り対象者宅２内のトイレのグラフ６０では、起床時刻の８時に多くトイレに行くものの、決まった時間にトイレに行くとは限らないと推定できる。
【００４４】
ここで、全データ表示画面５１において、前記見守り対象者が外出していると判定されたデータのグラフを前記滞在データのグラフと並べて表示してもよい。また、センサが配置された場所以外での前期見守り対象者宅２内での見守り対象者の滞在を判定したグラフを並べて表示してもよい。
並べて表示することによって、見守り対象者の滞在データをさらに詳細に把握することができる。
【００４５】
第２の実施例として、場所ごとの日周期パターンを円形のプロットを用いた散布図を用いた例を図４のグラフ６１に示す。
図２の見守り画面５０において、日周期パターン項目５０ｈの「外出」ボタンを選択すると、図４に示すような外出に関する１ヶ月分データの日周期パターン画面５２になる。
なお、図４の画面５２は、異なる月において、見守り用画面５０の前記「外出」ボタンを選択した後の画面から更に月表示ボタン５１ｄを選択したときの画面である。
【００４６】
図４のグラフ６１の横軸６１ｘは一日の時刻を示しており、縦軸６１ｙは滞在データを表示する期間の日数を示している。グラフ６１の表示期間は１ヶ月になっている。また、グラフが表示している期間の第１日目の日付を示す表記５１ｅに示された月の日付が設けられている。
【００４７】
また、図４の日周期グラフ６１のように、グラフ上のプロットの大きさがその後の継続外出時間に応じて異なっている表示を用いている。すなわち、見守り対象者が外出した後、帰宅までの外出継続時間が長いほど大きな円形のプロットで表示されている。また、プロットが示す日時は外出開始日時を表している。
【００４８】
前記の日周期グラフ６１は、見守り対象者の外出継続時間の長さを長期間にわたって一括して表現することができる。これによって、見守り関係者は、見守り対象者の外出開始日時とその外出継続時間の長期的な傾向を容易に把握することができる。また、前記の日周期グラフ６１が示すものは外出のデータだけでなく、前記見守り対象者宅２内の所定場所における滞在データを表示してもよい。
【００４９】
第３の実施例として、図４のグラフ６１に代えて、矩形のプロットを用いた散布図を図５のグラフ６２に示す。
図４の日周期画面５２において、グラフ部分が図５のグラフ６２のように、グラフ上のプロットの形状が矩形を用いている。矩形を用いて長い滞在継続時間を表示する場合、用いた矩形のプロット同士がつながってバーとして表示される。また、１つのグラフ上に滞在継続時間に応じて円形のプロットと矩形のプロットの両方を用いた表示でもよい。
【００５０】
前記の日周期グラフ６２は、見守り対象者の外出時間帯を長期間にわたって一括して表現することができる。これによって、見守り関係者は、見守り対象者の外出時間帯の長期的な傾向を容易に把握することができる。また、前記の日周期グラフ６２が示すものは外出のデータだけでなく、前記見守り対象者宅２内の所定場所における滞在データを表示してもよい。
【００５１】
第４の実施例を図６に示す。
ここで、日内パターン項目５０ｉの「全データ」を選択したときの画面を画面５４に示す。この画面５４は、１００日間表示において、前記見守り対象者宅２内のセンサ配置場所の全てである居間、寝室、玄関、トイレ、台所に対応する複数の日内グラフ６３が並べて表示されている。
【００５２】
各場所の日内グラフ６３は、１日の時間帯を横軸６３ｘに取り、その各時間帯での平均滞在時間（滞在時間積算値（分）÷表示する期間の日数）を縦軸６３ｙに取った棒グラフである。例えば、図６の居間の日内グラフ６３では、横軸６２ｘ上の各時間帯における棒が長いほど、その時間帯に見守り対象者が居間での平均滞在時間が長いことを示している。棒の色は、例えば赤色のべた塗りで表示されている。
【００５３】
ここで、全データ表示画面５４に対して、外出のデータをグラフ化した表示を並べて表示してもよい。並べて表示することによって、見守り対象者の滞在データをさらに詳細に把握することができる。
【００５４】
前記の日内グラフ６３は、前記見守り対象者の前記見守り対象者宅２内の各場所の長期間での滞在平均時間を示している。また、１つの画面５３に前記見守り対象者宅２内の全てのセンサ配置場所のグラフ６３が並べて表示されているので、見守り対象者宅２内の各場所での滞在状態の全体像を容易に把握することができる。
【００５５】
第５の実施例として、場所ごとの日内パターンを示した例を図７のグラフ６４に示す。
図２の見守り画面５０において、日周期パターン項目５０ｈの「寝室」ボタンを選択すると、図７に示すような寝室での日内パターン画面５４になる。なお、日内パターン画面５４は１ヶ月間表示の画面になっている。
【００５６】
図７の日内グラフ６４は１日の時間帯を横軸６４ｘに取り、その各時間帯での平均滞在時間を縦軸６４ｙに取った棒グラフである。また、日内グラフ６４は、表記するデータの第１日目の日付である表記５１ｅから１ヶ月間のデータだけでなく、現在日の前日のデータも重ねた棒グラフで表示されている。すなわち、１ヶ月データは例えば赤色べた塗りの棒６４ａで示され、この棒６４ａに重ね合わせるようにして、前日のデータ（前日１日間の滞在時間積算値）が例えば黒色の網掛け模様の棒６４ｂで示されている。グラフ６４の下方には、網掛け棒６４ｂの意味を示す表記６４ｃが設けられている。
なお、この日内グラフ６４において、併せて表示するグラフは前日データだけでなく、過去１週間及び過去１００日間等としてもよい。
【００５７】
第６の実施例として、併せて表示する前日データが折れ線グラフで表示している例を図８のグラフ６５に示す。
図７の日内グラフ６４に対して、図８のグラフ６５のように、１００日間データの１日あたりの平均データを折れ線で表示し、現在日から最近１週間の滞在データの平均を棒で表示した日内グラフを１つのグラフ上に併せて表示してもよい。
なお、グラフ６５は前記見守り対象者が前記居間における滞在データを表示している。
【００５８】
ここで、１００日間データの１日あたりの平均値は、例えば赤色の折れ線棒６５ａで示されている。この折れ線６５ａに重ね合わせるようにして、最近１週間の滞在データが例えば黒色の棒６５ｂで示されている。
【００５９】
このように、異なる複数の期間の滞在データを１つのグラフに表示することによって、見守り関係者は前記見守り対象者の生活パターンの長期的な傾向を把握することができる。
また、グラフ６４において、２種類の棒６４ａ、６４ｂを重ねて表示するのではなく、左右に並べて集合棒グラフにしてもよい。前記棒６４ａ、６４ｂの色や模様は適宜選択できる。
【００６０】
また、グラフで表示するデータの期間は１００日間又は１ヶ月間に限られるものではなく、数日でも数ヶ月でも数年でもよく、Ｗｅｂ画面上で別途設けたボタンによって任意に指定できるようにしてもよい。また、表示されるグラフのフォーマットは散布図、棒グラフ又は折れ線グラフに限定されず、数直線や帯グラフを用いた表示でもよい。さらに、複数の場所の滞在データを１つのグラフ上に表示してもよい。
以下の実施例に日内グラフとして数直線や帯グラフを用いた実施例７〜１０を示す。
【００６１】
第７の実施例として、見守り対象者の滞在データと外出のデータを数直線上に円形のプロットで表示している例を図９の日内グラフ６６に示す。
なお、このグラフ６６は、図２の画面５０において、別途設けた居間と外出の両方を同一グラフ上に表示するボタンを選択し、さらに別途設けた１週間表示のボタンを選択したときに得られるグラフである。
【００６２】
図９のグラフ６６は、対象となる日付を示す表記６６ａとともに、横軸６６ｘに１日の時間帯を取った数直線上に居間での滞在開始時刻をドットでプロットし、居間での滞在継続時間をドットの大きさで示したグラフである。ここで、横軸６６ｘ上のドットが大きいほど、その時間帯における見守り対象者が居間での連続滞在時間が長いことを示している。また、前記見守り対象者の外出時間帯を数直線上にバーで重ねて表示されている。
【００６３】
前記グラフ６６は前記見守り対象者に対する異なる場所のデータが１つのグラフ上に表示されているので、前記見守り関係者は詳細な前記滞在データを把握することができる。
【００６４】
第８の実施例として、前記見守り対象者の１日分の滞在データを帯グラフで表示し、見守り対象者の滞在継続時間に応じて色合いが異なっている例を図１０のグラフ６７に示す。
【００６５】
このグラフ６７は、対象となる日付を示す表記６７ａとともに、横軸６７ｘを１日の時間帯を取った帯グラフに対して、居間での滞在継続時間に応じて色分けして表示されている。
前記グラフ６７は前記見守り対象者の滞在継続時間が長い程、濃い色の帯で示されており、複数日の滞在データを表示するために前記グラフ６７が縦に並べて表示される。
【００６６】
第９の実施例として、前記見守り対象者宅２内の複数の場所の滞在データを帯グラフで表示し、見守り対象者の滞在継続時間に応じて色合いが異なっている例を図１１のグラフ６８に示す。
【００６７】
前記グラフ６８は、対象となる日付を示す表記６８ａとともに、横軸６８ｘを１日の時間帯を取った帯グラフに対して、居間での滞在継続時間に応じて色分けして表示されている。また、居間の滞在データを示す帯グラフの下に外出のデータを示す帯グラフを合わせて表示されている。
前記グラフ６８は前記見守り対象者の滞在継続時間が長い程、濃い色の帯で示されており、複数日の滞在データを表示するために前記グラフ６８が縦に並べて表示される。
【００６８】
前記グラフ６８は、複数の場所の滞在データを帯グラフを用いて場所ごとの滞在継続時間に応じて色の濃さで表示されているため、前記見守り関係者は前記見守り対象者の滞在データを容易に把握することができる。
【００６９】
第１０の実施例として、異なる場所のデータを１つの帯グラフで表示する例を図１２のグラフ６９に示す。
グラフ６９は、対象となる日付を示す表記６９ａとともに、横軸６９ｘを１日の時間帯を取り、前記見守り対象者宅２内の滞在データと外出のデータの両方を１つの帯グラフで表示されている。また、前記見守り対象者の滞在継続時間が長い程、濃い色の帯で示されている。また、複数日の滞在データを表示するために前記グラフ６９が縦に並べて表示される。
【００７０】
また、本発明は以上の実施例に限られるものではなく、種々の改変が可能である。
見守り対象者宅２内に複数のセンサが配置されている場合、それらのセンサから得られる前記滞在データの一部又は全部を合算し、センサの配置場所を新たな場所として取り扱ってもよい。
例えば、前記見守り対象者宅２内の居間、寝室、台所、トイレ、玄関の居室に配置されたセンサから得られる滞在データを合算して、前記居室と異なる新たな宅内の滞在データとして取り扱ってもよい。さらに、前記宅内の滞在データと、外出のデータを１つの画面又は１つのグラフ上に表示して比較できるように表示してもよい。
【００７１】
また、前記見守り対象者の滞在データを基に、前記見守り対象者宅２内の所定場所への移動の回数を示したグラフを表示してもよい。
移動の回数を示したグラフを表示することによって、前記見守り関係者は前記所定場所への移動頻度を把握することができる。また、前期滞在時間と前記滞在頻度の両方を示すグラフを表示してもよい。
【００７２】
センサの配置場所は見守り対象者宅２内の居室に限定されず、水道、テレビ、ガス等の生活設備に配置してもよい。例えば水道に配置した場合、前記見守り対象者の滞在を検知するだけでなく、前記見守り対象者が水道を使用する使用状況も滞在データの１つとしたグラフを表示してもよい。
また、前記見守り対象者宅２内に寝室専用の部屋がなく、居間に寝床が設けられている場合には、寝床にセンサを配置することによって前記見守り対象者の寝床での滞在データのグラフを表示してもよい。
【００７３】
前記見守り対象者宅２内に配置するセンサは焦電型赤外線センサに限られず、センサは人体の体重を検知するセンサや体温を検知するセンサや生活音を検知するセンサ等、人体の滞在を検知するセンサであれば特に限定されない。
【００７４】
前記日周期グラフ又は日内グラフの横軸に表示する時間の範囲は１２時間表示でもよく、軸の表示範囲は実施例の範囲に限定されずに適宜変更する事ができる。また、軸の表示単位は時刻だけでなく、時間単位、秒単位、分単位など適宜変更する事ができる。また、縦軸に表示する日の範囲は１ヶ月又は１００日だけでなく、１週間や１０日としてもよい。さらに、グラフに表示する期間は１ヶ月又は１００日だけでなく、１週間や１０日としてもよい。さらに、前記日周期グラフ又は日内グラフの軸において、時刻軸を縦軸とし、日軸を横軸としてもよい。また、以上の変更を行うために画面上に別途設けたボタンを選択するようにしてもよい。
【００７５】
【発明の効果】
以上説明したように、本発明は見守り対象者の滞在データの長期的な特徴又は傾向、並びに見守り対象者宅内の所定場所での滞在継続時間を容易に把握できる滞在データ表示システムを提供することができる。
【図面の簡単な説明】
【図１】本発明の実施形態に係るテレケアシステムの概略構成図である。
【図２】上記システムのＷｅｂ機能で配信した対象高齢者の見守り用のトップページ画面の一例を示す図である。
【図３】上記システムのＷｅｂ機能で配信した全場所の１００日表示の日周期パターン画面の一例を示す図である。
【図４】上記システムのＷｅｂ機能で配信した外出の１ヶ月間表示の日周期パターン画面の一例を示す図である。
【図５】１ヶ月間表示での外出の日周期グラフの一例を示す図である。
【図６】上記システムのＷｅｂ機能で配信した全場所の１００日表示の日内パターン画面の一例を示す図である。
【図７】上記システムのＷｅｂ機能で配信した寝室の１ヶ月間表示の日内パターン画面の一例を示す図である。
【図８】１００日間表示での居間の日内グラフの一例を示す図である。
【図９】１週間表示での居間と外出の日内グラフの一例を示す図である。
【図１０】所定の日の居間の日内グラフの一例を示す図である。
【図１１】所定の日の居間と外出の日内グラフの一例を示す図である。
【図１２】所定の日の居間と外出の日内グラフの一例を示す図である。
【符号の説明】
Ｓ　テレケアシステム
１０　サーバ（グラフ化手段）
１１　生活行動データベース
２１　見守り主装置
２２ａ〜２２ｅ　人感センサ（人体検知手段）
４１、４２　通信回線ネットワーク
５０〜５４　Ｗｅｂ表示画面
５０ｅ　生活パターン帯図
５０ｇ〜５０ｉ　グラフ選択メニュー欄
５１ａ　選択した場所
５１ｂ　表示中の画面の場所
５１ｃ、５１ｄ　表示期間変更ボタン
５１ｅ　グラフが表示する期間の第１日目の日付
５１ｆ　表示データ変更ボタン
５１ｈ　表示画面変更ボタン
６０〜６２　日周期グラフ
６３〜６９　日内グラフ
６０ｘ〜６９ｘ　横軸
６０ｙ〜６９ｙ　縦軸
【図１】
2004030541.tif 000003
【図２】
2004030541.tif 000004
【図３】
2004030541.tif 000005
【図４】
2004030541.tif 000006
【図５】
2004030541.tif 000007
【図６】
2004030541.tif 000008
【図７】
2004030541.tif 000009
【図８】
2004030541.tif 000010
【図９】
2004030541.tif 000011
【図１０】
2004030541.tif 000012
【図１１】
2004030541.tif 000013
【図１２】
2004030541.tif 000014